(57)【特許請求の範囲】
【請求項１】
外部への露出を避けるため構成部を覆う蓋部を備える端末装置であって、
前記蓋部の開閉を検出する開閉検出手段と、
前記端末装置に搭載されている所定機能の動作状況を検出する動作状況検出手段と、
前記動作状況検出手段によって前記所定機能が動作中であることが検出された場合に、前記構成部の使用状況を検出する使用検出手段と、
前記動作状況検出手段によって検出された所定機能の動作状況と、前記開閉検出手段による蓋部開閉の検出結果と、前記使用検出手段によって検出された前記構成部の使用状況とに基づいて、前記開閉検出手段による蓋部開閉の検出結果を報知するか否かを判別する報知判別手段と、
前記報知判別手段による判別結果に基づいて、前記開閉検出手段による蓋部開閉の検出結果の報知を制御する報知制御手段と、
を備えることを特徴とする端末装置。
【請求項２】
前記報知判別手段は、前記開閉検出手段によって蓋部が開いていることが検出された際に、前記動作状況検出手段によって所定機能が動作中であることが検出され、かつ前記使用検出手段によって前記構成部が使用されていることが検出された場合に、前記開閉検出手段による蓋部開閉の検出結果の報知を抑制すると判別することを特徴とする請求項１記載の端末装置。
【請求項３】
前記報知判別手段は、前記動作状況検出手段によって所定機能の動作が終了したことが検出された場合に、前記開閉検出手段によって蓋部が開いていることが検出されていれば、その旨を報知すると判別することを特徴とする請求項１記載の端末装置。
【請求項４】
前記報知判別手段は、前記動作状況検出手段によって所定機能の動作が終了したことが検出されてから所定時間経過後に、前記開閉検出手段によって蓋部が開いていることが検出されていれば、その旨を報知すると判別することを特徴とする請求項３記載の端末装置。
【請求項５】
前記報知判別手段は、前記開閉検出手段によって蓋部が開いていることが検出された際に、前記動作状況検出手段によって所定機能が動作中であることが検出され、かつ前記使用検出手段によって構成部が使用されていないことが検出された場合には、前記開閉検出手段による蓋部開閉の検出結果を報知すると判別することを特徴とする請求項１記載の端末装置。
【請求項６】
前記報知判別手段は、前記開閉検出手段によって蓋部が開いていることが検出された際に、前記動作状況検出手段によって所定機能が動作していないことが検出された場合には、前記開閉検出手段による蓋部開閉の検出結果を報知すると判別することを特徴とする請求項１記載の端末装置。
【請求項７】
外部への露出を避けるため構成部を覆う蓋部を備える端末装置の動作を制御するプログラムであって、
コンピュータに、
前記蓋部の開閉を検出する開閉検出機能、
前記端末装置に搭載されている所定機能の動作状況を検出する動作状況検出機能、
前記動作状況検出機能によって前記所定機能が動作中であることが検出された場合に、前記構成部の使用状況を検出する使用検出機能と、
前記動作状況検出機能によって検出された所定機能の動作状況と、前記開閉検出機能による蓋部開閉の検出結果と、前記使用検出機能によって検出された前記構成部の使用状況とに基づいて、前記開閉検出機能による蓋部開閉の検出結果を報知するか否かを判別する報知判別機能、
前記報知判別機能による判別結果に基づいて、前記開閉検出機能による蓋部開閉の検出結果の報知を制御する報知制御機能、
を実現させることを特徴とするプログラム。
【発明の詳細な説明】
【技術分野】
【０００１】
本発明は、外部への露出を避けるため構成部を覆う蓋部を備えた端末装置及びプログラムに関する。
【背景技術】
【０００２】
携帯電話などの端末装置には、様々な蓋部が備えられている。例えば、通信ケーブル、充電ケーブル、イヤホンケーブルなどの外部機器を接続するコネクタ（外部機器接続部）を保護するように覆うコネクタカバー、電池パックを装着する部分を覆う蓋部（電池パックと一体化している蓋部もあるし、電池パックから独立している蓋部もある）、外部記憶媒体を挿着する部分を覆う蓋部、カメラのレンズを保護したり撮影していないことを周囲に示したりするためにレンズを覆う蓋部がある。さらには、アンテナを収納している状態で、そのアンテナの先端が蓋部となっているような蓋部もある。
【０００３】
ところで、近年、防水性能を有する端末装置が発売されている。このような端末装置においては、蓋部が開いていると防水性能を発揮できないため、蓋部を開けて使用する状況でない場合に蓋部を閉めることは重要な要素となっている。
【０００４】
蓋部を開けて使用する状況でない場合に、蓋部が開いていれば、その旨を報知する技術が提案されている（例えば、特許文献１参照）。該従来技術では、プリンタに接続可能なデジタルカメラにおいて、電源オンしようとした際に、プリンタに接続されていないにもかかわらず、コネクタカバーが開いていれば、警報音を出力してユーザに警告するようになっている。
【先行技術文献】
【特許文献】
【０００５】
【特許文献１】特開平１１−２３９３１２号公報
【発明の概要】
【発明が解決しようとする課題】
【０００６】
しかしながら、上述した従来技術では、単にプリンタ（外部機器）に接続されていないにもかかわらず、コネクタカバーが開いている場合に報知するだけである。実際には、外部機器に接続されていないにもかかわらず、コネクタカバーが開いている場合であっても、これから外部機器を接続することも有り得る。しかしながら、従来技術では、このような状況においても、コネクタカバーが開いている旨を報知してしまう。すなわち、端末装置の使用状況に応じて蓋部の開閉を適切に報知しているとは言えない。
【０００７】
そこで本発明は、端末装置の使用状況に応じて、蓋部の開閉を適切に報知することができる端末装置及びプログラムを提供することを目的とする。
【課題を解決するための手段】
【０００８】
本発明の端末装置は、外部への露出を避けるため構成部を覆う蓋部を備える端末装置であって、前記蓋部の開閉を検出する開閉検出手段と、前記端末装置に搭載されている所定機能の動作状況を検出する動作状況検出手段と、前記動作状況検出手段によって前記所定機能が動作中であることが検出された場合に、前記構成部の使用状況を検出する使用検出手段と、前記動作状況検出手段によって検出された所定機能の動作状況と、前記開閉検出手段による蓋部開閉の検出結果と、前記使用検出手段によって検出された前記構成部の使用状況とに基づいて、前記開閉検出手段による蓋部開閉の検出結果を報知するか否かを判別する報知判別手段と、前記報知判別手段による判別結果に基づいて、前記開閉検出手段による蓋部開閉の検出結果の報知を制御する報知制御手段と、を備えることを特徴とする端末装置である。
【０００９】
本発明のプログラムは、外部への露出を避けるため構成部を覆う蓋部を備える端末装置の動作を制御するプログラムであって、コンピュータに、前記蓋部の開閉を検出する開閉検出機能、前記端末装置に搭載されている所定機能の動作状況を検出する動作状況検出機能、前記動作状況検出機能によって前記所定機能が動作中であることが検出された場合に、前記構成部の使用状況を検出する使用検出機能と、前記動作状況検出機能によって検出された所定機能の動作状況と、前記開閉検出機能による蓋部開閉の検出結果と、前記使用検出機能によって検出された前記構成部の使用状況とに基づいて、前記開閉検出機能による蓋部開閉の検出結果を報知するか否かを判別する報知判別機能、前記報知判別機能による判別結果に基づいて、前記開閉検出機能による蓋部開閉の検出結果の報知を制御する報知制御機能、を実現させることを特徴とするプログラムである。
【発明の効果】
【００１０】
この発明によれば、端末装置の使用状況に応じて、蓋部の開閉を適切に報知することができるという利点が得られる。
【図面の簡単な説明】
【００１１】
【図１】本発明の実施形態による端末装置を用いた通信システムの構成を示すブロック図である。
【図２】本実施形態による端末装置１の構成を示すブロック図である。
【図３】本実施形態による端末装置１の使用状態を示す斜視図である。
【図４】本実施形態による端末装置１の動作を説明するためのフローチャート（メインルーチン）である。
【図５】開閉報知処理（開閉検出）の動作を説明するためのフローチャートである。
【図６】本実施形態による、上記判別処理Ａの動作を説明するためのフローチャートである。
【図７】開閉報知処理（スタイル）の動作を説明するためのフローチャートである。
【図８】本実施形態による、上記判別処理Ｂの動作を説明するためのフローチャートである。
【図９】上述した開閉報知処理（スタイル）の変形例を説明するためのフローチャートである。
【図１０】上述した開閉報知処理（機能終了）の動作を説明するためのフローチャートである。
【図１１】上述した開閉報知処理（充電終了）の動作を説明するためのフローチャートである。
【図１２】本実施形態による、表示部１０−３において、メイン表示部１０−３−１、またはサブ表示部１０−３−２にカバーが開いている旨を通知する表示例を示す模式図である。
【図１３】本実施形態による、表示部１０−３において、メイン表示部１０−３−１、またはサブ表示部１０−３−２にカバーが閉じられた旨を通知する表示例を示す模式図である。
【発明を実施するための形態】
【００１２】
以下、本発明の実施の形態を、図面を参照して説明する。
【００１３】
Ａ．実施形態の構成
図１は、本発明の実施形態による端末装置を用いた通信システムの構成を示すブロック図である。図において、端末装置１は、基地局２−１、２−２及び交換機３を介して移動体通信網４に接続し、図示しない他の端末装置などと相互に通信が可能となっている。また、端末装置１は、移動体通信網４を介してインターネット５に接続し、インターネット５上のサーバが提供するＷｅｂページを閲覧したり、データをダウンロードしたりすることが可能となっている。
【００１４】
端末装置１は、カバー付き充電端子兼外部端子を備えており、充電時には、カバーを開けて充電端子兼外部端子を露出させ、該充電端子兼外部端子に充電装置６から延長している充電ケーブルを接続するようになっている。また、端末装置１は、カバー付き音声出力端子を備えており、通話時や、音楽再生時に、カバーを開けて音声出力端子を露出させ、該音声出力端子にイヤフォン７（ヘッドフォンなどを含む）を接続するようになっている。また、端末装置１は、ＰＣ（パーソナルコンピュータ）８との間でデータ送受信を行う際、上記カバー付き充電端子兼外部端子のカバーを開けて充電端子兼外部端子を露出し、該充電端子兼外部端子とＰＣ８との間を通信ケーブルで接続するようになっている。
【００１５】
充電装置６は、端末装置１と充電ケーブルにより接続されると、端末装置１の内蔵バッテリを充電する。ＰＣ（パーソナルコンピュータ）８は、端末装置１と有線で通信し、相互にデータを送受信することが可能である。
【００１６】
次に、図２は、本実施形態による端末装置１の構成を示すブロック図である。図において、端末装置１は、無線通信部１０−１、音声信号処理部１０−２、表示部１０−３、操作部１０−４、ＲＴＣ１０−５、振動発生部１０−６、カバー開閉検出部１０−７、外部機器接続部（コネクタ）１０−８、ＲＯＭ１０−９、ＲＡＭ１０−１０、スタイル検出部１０−１１及び中央制御部１０−１２からなる。
【００１７】
無線通信部１０−１は、図１に示す基地局２−１、２−２、交換機３から移動体通信網４に接続し、他の端末装置との間で、音声通信や、各種データ送受信などを行う。音声信号処理部１０−２は、マイク１０−２−１からの音声を取り込み、デジタル信号に変換して中央制御部１０−１２に供給する一方、音声信号をアナログ信号に変換してスピーカ１０−２−２から出力する。
【００１８】
表示部１０−３は、液晶表示器などからなり、各種メッセージや、画像などを表示する。操作部１０−４は、電話番号や、各種データ、動作指示などを入力する。ＲＴＣ１０−５は、実時間を計時する。振動発生部１０−６は、上述したカバー付き充電端子兼外部端子、カバー付き音声出力端子のカバーが開かれていることが検出された場合に駆動され、当該装置自体を振動させる。カバー開閉検出部１０−７は、上述したカバー付き充電端子兼外部端子、カバー付き音声出力端子のカバーの開閉を検出する。外部機器接続部（コネクタ）１０−８は、上述したカバー付き充電端子兼外部端子、カバー付き音声出力端子である。なお、カバーが請求項における蓋部に相当し、充電端子兼外部端子や音声出力端子などが、請求項における構成部に相当する。
【００１９】
ＲＯＭ１０−９は、所定のプログラムや各種パラメータなどを記憶する。ＲＡＭ１０−１０は、中央制御部１０−１２の動作に伴う各種データや、パラメータなどを記憶する。スタイル検出部１０−１１は、端末装置１の使用状態、後述するクローズスタイル、オープンスタイル、あるいはビュースタイルのいずれの状態であるかを検出する。中央制御部１０−１２は、ＲＯＭ１０−９に記憶されているプログラムを実行し、各部の動作を制御する。特に、本実施形態では、中央制御部１０−１２は、外部機器接続部（コネクタ）１０−８の使用状況や、スタイル検出部１０−１１による筐体のスタイル、当該端末装置１の動作状況、カバー開閉検出部１０−７による、外部機器接続部１０−８のカバーの開閉検出などに基づいて、カバーの開閉を適切に報知するようになっている。
【００２０】
次に、図３（ａ）〜（ｃ）は、本実施形態による端末装置１の使用状態を示す斜視図である。図３（ａ）には、端末装置１を閉じた状態で使用するクローズスタイルを示している。この場合、表示部１０−３のサブ表示部１０−３−２が外側となる。また、図３（ｂ）には、通話時や、メール作成時、各種設定時などの操作を行う際に端末装置１を開いた状態で使用するオープンスタイルを示している。この場合、表示部１０−３のメイン表示部１０−３−１を見て作業が行われる。また、図３（ｃ）には、メイン表示部１０−３−１を外側に向けて閉じた状態で使用するビュースタイルを示している。なお、外部機器接続部（コネクタ）１０−８として、上述したカバー付き充電端子兼外部端子１０−８−１、カバー付き音声出力端子１０−８−２が示されている。
【００２１】
Ｂ．実施形態の動作
次に、上述した実施形態の動作について説明する。
ここで、図４は、本実施形態による端末装置１の動作を説明するためのフローチャート（メインルーチン）である。まず、電源オンが操作されたか否かを判断し（ステップＳ１０）、電源がオンされると、待ち受け画面を表示し、各種操作、着信などを待機する待受状態とする（ステップＳ１２）。待受状態においては、カバー開閉変更が検出されたか否か（ステップＳ１４）、スタイル変更が検出されたか否か（ステップＳ１８）、音楽再生機能起動操作があったか否か（ステップＳ２２）、音楽再生機能終了操作があったか否か（ステップＳ２６）、充電開始が検出されたか否か（ステップＳ３２）、充電終了が検出されたか否か（ステップＳ３６）、電源オフ操作があったか否か（ステップＳ４２）、その他の操作があったか否か（ステップＳ４６）を判断する。
【００２２】
そして、カバー開閉検出部１０−７によりカバー開閉変更が検出された場合には（ステップＳ１４のＹＥＳ）、使用状況に応じてカバーの開閉状態を報知する開閉報知処理（開閉検出）を行う（ステップＳ１６）。その後、ステップＳ１２の待受処理に戻る。なお、開閉報知処理（開閉検出）の詳細については後述する。
【００２３】
また、スタイル変更が検出された場合には（ステップＳ１８のＹＥＳ）、スタイル変更に応じてカバーの開閉状態を報知する開閉報知処理（スタイル）を行う（ステップＳ２０）。その後、ステップＳ１２の待受処理に戻る。なお、開閉報知処理（スタイル）の詳細については後述する。
【００２４】
また、音楽再生機能起動操作があった場合には（ステップＳ２２のＹＥＳ）、音楽再生機能を起動し、指定された音楽ファイルを再生する音楽再生機能起動処理を実行し（ステップＳ２４）、その後、ステップＳ１２の待受処理に戻る。
【００２５】
また、音楽再生機能起動処理後、音楽再生機能終了操作があった場合には（ステップＳ２６のＹＥＳ）、音楽再生機能を終了する音楽再生機能終了処理を実行し（ステップＳ２８）、さらに、カバーが開いている旨を報知する開閉報知処理（機能終了）を実行し（ステップＳ３０）、その後、ステップＳ１２の待受処理に戻る。開閉報知処理（機能終了）は、機能終了直後ではなく、所定時間（例えば、１０秒）経過後に実行されるようにしてもよい。なお、該開閉報知処理（機能終了）の詳細については後述する。
【００２６】
また、充電装置６と接続されたことにより、充電開始が検出された場合には（ステップＳ３２のＹＥＳ）、充電装置６による内部バッテリへの充電を開始し（ステップＳ３４）、その後、ステップＳ１２の待受処理に戻る。
【００２７】
また、充電開始後、充電装置６との接続が断たれるか、内部バッテリへの充電が完了（フル充電）し、充電終了が検出された場合には（ステップＳ３６のＹＥＳ）、充電を終了し、カバーが開いている旨を報知する開閉報知処理（充電終了）を実行し（ステップＳ４０）、その後、ステップＳ１２の待受処理に戻る。開閉報知処理（充電終了）は、開閉報知処理（機能終了）と同様に、充電終了直後ではなく、所定時間（例えば、１０秒）経過後に実行されるようにしてもよい。なお、該開閉報知処理（充電終了）の詳細については後述する。
【００２８】
また、電源オフ操作があった場合には（ステップＳ４２のＹＥＳ）、電源オフ処理を行い（ステップＳ４４）、その後、当該処理を終了する。また、音声発信操作など、その他の操作があった場合には（ステップＳ４６のＹＥＳ）、操作に応じたその他の処理を行う（ステップＳ４４）。その後、ステップＳ１２の待受状態に戻る。
【００２９】
次に、図５は、上述した開閉報知処理（開閉検出）の動作を説明するためのフローチャートである。開閉報知処理（開閉検出）では、まず、カバー開閉検出部１０−７によりカバーの変更された開閉、すなわちカバーが開けられたのか閉じられたのかを検出し（ステップＳ５０）、カバーが開けられたか否かを判断する（ステップＳ５２）。そして、カバーが開けられた場合には、スタイル検出部１０−１１によりスタイルを検出し（ステップＳ５４）、クローズスタイルであるか否か（オープンスタイルまたはビュースタイルであるか）を判断する（ステップＳ５６）。
【００３０】
そして、クローズスタイルである場合には、動作中の機能を検出し（ステップＳ５８）、音楽再生機能が動作中でないか動作中であるかを判断する（ステップＳ６０）。なお、音楽再生機能に限らず、例えば、テレビ放送の受信機能がある場合には、テレビ放送出力機能でもよいし、動画再生機能など、外部機器（イヤフォン）を接続して利用する可能性のある機能であればよい。そして、音楽再生機能が動作中でない場合には、外部機器を接続して利用する可能性のある機能が動作していないにもかかわらず、カバー付き音声出力端子のカバーが開いているとして、サブ画面に表示したり、ＬＥＤを点滅させたり、振動発生部１０−６により振動させたり、警報音を出力したりするなどして、カバーが開いている旨を報知する（ステップＳ６２）。その後、メインルーチンに戻る。
【００３１】
また、カバーが開いており、かつ、オープンスタイルか、ビュースタイルである場合、あるいは、カバーが開いており、かつ、音楽再生機能動作中である場合には、１０秒経過したか否かを判断し（ステップＳ６４）、１０秒経過すると、判別処理Ａを実行する（ステップＳ６６）。判別処理Ａでは、カバーの開閉を再度検出し、この時点（上記１０秒経過後）でもカバーが開いていれば、カバーが開いている旨を報知すると判別する。なお、該判別処理Ａの詳細については後述する。
【００３２】
そして、判別処理Ａで報知すると判別されたか否かを判断し（ステップＳ６８）、判別処理Ａで報知すると判別された場合には、カバーが開いている旨を、メイン画面やサブ画面に表示したり、ＬＥＤを点滅させたり、振動発生部１０−６により振動させたり、警報音を出力したりするなどして報知する（ステップＳ７０）。その後、メインルーチンに戻る。一方、判別処理Ａで報知しないと判別された場合には、報知することなく、メインルーチンに戻る。一方、ステップＳ５２で、カバーが閉じられたと判別された場合には、カバー付き音声出力端子のカバーが閉じられた旨を、メイン画面やサブ画面に表示したり、ＬＥＤを点滅させたり、振動発生部１０−６により振動させたり、警報音を出力したりするなどして報知する（ステップＳ７２）。その後、メインルーチンに戻る。
【００３３】
ここで、図１２（ａ）、（ｂ）は、表示部１０−３において、メイン表示部（メイン画面）１０−３−１、またはサブ表示部（サブ画面）１０−３−２にカバーが開いている旨を通知する表示例を示す模式図である。メイン表示部１０−３−１でカバーが開いている旨を通知する際には、図１２（ａ）に示すように、「コネクタのカバーが開いています。使用しない場合には閉じてください。防水性能が正しく発揮されません。」などのメッセージを表示する。また、サブ表示部１０−３−２でカバーが開いている旨を通知する際には、図１２（ｂ）に示すように、「コネクタのカバーが開いています。」などのメッセージを表示する。
【００３４】
また、図１３（ａ）、（ｂ）は、表示部１０−３において、メイン表示部１０−３−１、またはサブ表示部１０−３−２にカバーが閉じられた旨を通知する表示例を示す模式図である。メイン表示部１０−３−１でカバーが閉じられた旨を通知する際には、図１３（ａ）に示すように、「コネクタのカバーが閉じられました。防水性能が有効になりました。」などのメッセージを表示する。また、サブ表示部１０−３−２でカバーが閉じられた旨を通知する際には、図１３（ｂ）に示すように、「コネクタのカバーが閉じられました。」などのメッセージを表示する。
【００３５】
図６は、本実施形態による、上記判別処理Ａの動作を説明するためのフローチャートである。判別処理Ａでは、まず、カバー開閉検出部１０−７によりカバーの開閉を検出し（ステップＳ８０）、カバーが開いているか否かを判断する（ステップＳ８２）。そして、カバーが開いている場合には、外部機器接続部１０−８への外部機器の接続を検出し（ステップＳ８４）、外部機器が外部機器接続部１０−８に接続されているか否かを判断する（ステップＳ８６）。
【００３６】
そして、カバーが開いており、かつ外部機器が接続されていない場合には、カバーが開いていることを報知すると判別する（ステップＳ８８）。一方、（カバーが開けられてから１０秒経過後）カバーが開いていない場合、あるいは、（カバーが開けられてから１０秒経過後）カバーが開いているものの、外部機器が接続されている場合には、使用中であるので、報知しないと判別する（ステップＳ９０）。その後、前述した図５の開閉報知処理（開閉検出）に戻る。
【００３７】
このように、待受状態において、クローズスタイル以外でカバーが開けられた際に、所定時間経過後（１０秒後）、カバーが閉じられるか、カバーは開いたままだが、外部機器が接続された場合には、何も報知しない。一方、クローズスタイル以外でカバーが開けられた際に、所定時間経過後（１０秒後）、カバーが開いたままで、外部機器が接続されていない場合には、カバーが開いている旨を報知する。また、クローズスタイルでカバーが開けられた際に、音楽再生などが動作していれば、やはり、所定時間経過後（１０秒後）、外部機器が接続された場合には、何も報知せず、外部機器が接続されない場合には、カバーが開いている旨を報知する。さらに、クローズスタイルでカバーが開けられた際に、音楽再生などが動作していなければ、カバーが開いている旨を報知する。
【００３８】
次に、図７は、上述した開閉報知処理（スタイル）の動作を説明するためのフローチャートである。開閉報知処理（スタイル）では、まず、変更されたスタイルを検出し（ステップＳ１００）、スタイルがクローズスタイルであるか否かを判断する（ステップＳ１０２）。そして、スタイルがクローズスタイル（図２（ａ））である場合には、判別処理Ｂを実行する（ステップＳ１０４）。判別処理Ｂでは、カバーが開いており、かつ外部端子に外部機器が接続されておらず、さらに、音楽再生機能などが動作中でない場合に、カバーが開いている旨を報知すると判別する。なお、該判別処理Ｂの詳細については後述する。
【００３９】
そして、判別処理Ｂで報知すると判別されたか否かを判断し（ステップＳ１０６）、判別処理Ｂで報知すると判別された場合には、カバーが開いている旨を、（クローズスタイルであるので）サブ画面に表示したり、ＬＥＤを点滅させたり、振動発生部１０−６により振動させたり、警報音を出力したりするなどして報知する（ステップＳ１０８）。その後、メインルーチンに戻る。一方、判別処理Ｂで報知しないと判別された場合には、報知することなく、メインルーチンに戻る。
【００４０】
一方で、ステップＳ１０２で、クローズスタイルでない場合、すなわち、オープンスタイルか、ビュースタイルであると判別された場合には、上記判別処理Ｂを実行する（ステップＳ１１０）。そして、判別処理Ｂで報知しないと判別された場合には、報知することなく、メインルーチンに戻る。一方、判別処理Ｂで報知すると判別された場合には、１０秒経過したか否かを判断し（ステップＳ１１４）、１０秒経過すると、前述した判別処理Ａを実行する（ステップＳ１１６）。すなわち、判別処理Ａでは、カバーの開閉を再度検出し、この時点（上記１０秒経過後）でもカバーが開いていれば、カバーが開いている旨を報知すると判別する。
【００４１】
そして、判別処理Ａで報知すると判別されたか否かを判断し（ステップＳ１１８）、判別処理Ａで報知すると判別された場合には、カバーが開いている旨を、メイン画面に表示したり、ＬＥＤを点滅させたり、振動発生部１０−６により振動させたり、警報音を出力したりするなどして報知する（ステップＳ１２０）。その後、メインルーチンに戻る。一方、判別処理Ａで報知しないと判別された場合には、報知することなく、メインルーチンに戻る。
【００４２】
図８は、本実施形態による、上記判別処理Ｂの動作を説明するためのフローチャートである。判別処理Ｂでは、まず、カバー開閉検出部１０−７によりカバーの開閉を検出し（ステップＳ１３０）、カバーが開いているか否かを判断する（ステップＳ１３２）。そして、カバーが開いている場合には、外部機器接続部１０−８への外部機器の接続を検出し（ステップＳ１３４）、外部機器が外部機器接続部１０−８に接続されているか否かを判断する（ステップＳ１３６）。
【００４３】
そして、外部機器が接続されていない場合には、動作中の機能を検出し（ステップＳ１３８）、音楽再生機能が動作中でないか否かを判断する（ステップＳ１４０）。動作中の機能が音楽再生機能でない場合には、カバーが開いていることを報知すると判別する（ステップＳ１４２）。一方、カバーが閉じている場合、あるいは、カバーが開いているものの、外部機器が接続されている場合、あるいは、カバーが開いており、外部機器が接続されていないものの、音楽再生機能が動作中である場合には、報知しないと判別する（ステップＳ１４４）。その後、前述した図７の開閉報知処理（スタイル）に戻る。
【００４４】
このように、クローズスタイルに変更され、かつ、カバーが開けられ、外部機器が接続されておらず、音楽再生機能が動作中でない場合には、カバーが開いている旨を報知する。また、クローズスタイル以外に変更され、かつ、カバーが開けられ、外部機器が接続されておらず、音楽再生機能が動作中でない場合に、所定時間経過後（１０秒後）、カバーが開いたままで、外部機器が接続されていない場合には、カバーが開いている旨を報知する。
【００４５】
また、スタイルが変更されたものの、カバーが閉じている場合、あるいは、カバーが開いているものの、外部機器が接続されている場合、あるいは、カバーが開いており、外部機器が接続されていないものの、音楽再生機能が動作中である場合には、何も報知しない。また、クローズスタイル以外に変更され、かつ、カバーが開けられ、外部機器が接続されておらず、音楽再生機能が動作中でない場合に、所定時間経過後（１０秒後）、カバーが閉じられるか、カバーは開いたままだが、外部機器が接続された場合には、何も報知しない。
【００４６】
次に、図９は、上述した開閉報知処理（スタイル）の変形例を説明するためのフローチャートである。該変形例による開閉報知処理（スタイル）では、まず、変更されたスタイルを検出し（ステップＳ１５０）、スタイルがクローズスタイルまたはオープンスタイルであるか否かを判断する（ステップＳ１５２）。そして、スタイルがクローズスタイルまたはオープンスタイルである場合には、判別処理Ｂを実行する（ステップＳ１５４）。判別処理Ｂでは、上述したように、カバーが開いている場合に、外部端子に外部機器が接続されておらず、かつ、音楽再生機能などが動作中でない場合に、カバーが開いている旨を報知すると判別する。
【００４７】
そして、判別処理Ｂで報知すると判別されたか否かを判断し（ステップＳ１５６）、判別処理Ｂで報知すると判別された場合には、カバーが開いている旨を、サブ画面あるいはメイン画面に表示したり、ＬＥＤを点滅させたり、振動発生部１０−６により振動させたり、警報音を出力したりするなどして報知する（ステップＳ１５８）。その後、メインルーチンに戻る。一方、ビュースタイルに変更された場合、あるいは、判別処理Ｂで報知しないと判別された場合には、報知することなく、メインルーチンに戻る。
【００４８】
次に、図１０は、上述した開閉報知処理（機能終了）の動作を説明するためのフローチャートである。前述したメインルーチンにおいて、音楽再生機能起動処理後、音楽再生機能の終了操作があった場合、音楽再生機能を終了した後、図１０に示す開閉報知処理（機能終了）が実行される。開閉報知処理（機能終了）では、まず、カバー開閉検出部１０−７によりカバーの開閉を検出し（ステップＳ１６０）、カバーが開いているか否かを判断する（ステップＳ１６２）。そして、カバーが開いている場合には、１０秒経過したか否かを判断し（ステップＳ１６４）、１０秒経過すると、外部機器接続部１０−８への外部機器の接続を検出し（ステップＳ１６６）、外部機器が外部機器接続部１０−８に接続されているか否かを判断する（ステップＳ１６８）。そして、外部機器が接続されていない場合には、カバーが開いていることを報知する（ステップＳ１７０）。その後、前述した図４のメインルーチンに戻る。一方、カバーが閉じている場合、あるいは、カバーが開いているものの、外部機器が接続されている場合には、報知することなく図４のメインルーチンに戻る。
【００４９】
このように、音楽再生機能などが終了した場合に、外部機器が接続されていないにもかかわらず、カバーが開いたままになっていると、カバーが開いていることを報知する。一方、音楽再生機能などが終了した場合に、その後、カバーが閉じられているか、カバーが開いているものの、外部機器が接続されている場合には報知しない。
【００５０】
次に、図１１は、上述した開閉報知処理（充電終了）の動作を説明するためのフローチャートである。前述したメインルーチンにおいて、充電開始後、充電が終了した場合、図１１に示す開閉報知処理（充電終了）が実行される。開閉報知処理（充電終了）では、まず、カバー開閉検出部１０−７によりカバーの開閉を検出し（ステップＳ１８０）、カバーが開いているか否かを判断する（ステップＳ１８２）。
【００５１】
そして、カバーが開いている場合には、外部機器接続部１０−８への外部機器の接続を検出し（ステップＳ１８４）、外部機器が接続されているか否かを判断する（ステップＳ１８６）。そして、外部機器が接続されていない場合には、動作中の機能を検出し（ステップＳ１８８）、音楽再生機能が動作中でないか否かを判断する（ステップＳ１９０）。そして、音楽再生機能が動作中でない場合には、カバーが開いていることを報知する（ステップＳ１９２）。その後、前述した図４のメインルーチンに戻る。
【００５２】
一方、カバーが閉じている場合、あるいは、カバーが開いているものの、外部機器が接続されている場合、あるいは、カバーが開いており、外部機器が接続されていないものの、音楽再生機能が動作中である場合には、報知することなく、図４のメインルーチンに戻る。
【００５３】
このように、充電終了後、カバーが開いており、外部機器が接続されておらず、音楽再生機能が動作中でない場合には、カバーが開いていることを報知する。一方、カバーが閉じている場合、あるいは、カバーが開いているものの、外部機器が接続されている場合、あるいは、カバーが開いており、外部機器が接続されていないものの、音楽再生機能が動作中である場合には、報知しない。
【００５４】
上述した実施形態によれば、端末装置のスタイルに応じて、蓋部の開閉を適切に報知することができる。
【００５５】
また、実施形態によれば、筐体を閉じた場合に、カバーが開いていれば、ユーザにカバーが開いている旨を通知することができる。例えば、ユーザが端末装置の使用を終了して筐体を閉じた場合に、カバーが開いていれば、その旨を通知することができる。
【００５６】
また、実施形態によれば、所定時間経過してもカバーが開いている場合には、ユーザが誤って開けた、もしくは、勝手に開いてしまった可能性が高く、ユーザにその旨を通知することができる。
【００５７】
また、実施形態によれば、ユーザに不必要な情報（カバーが開いている旨）を通知せずに済ませることで、煩わしさを防止することができる。例えば、ユーザが端末装置の使用を終了して筐体を閉じた場合に、充電するために充電ケーブルが端末装置に接続されていれば、カバー（コネクタカバー）が開いていてもその旨を通知しないので、その不必要な情報を通知せずに済ませることができる。
【００５８】
また、実施形態によれば、ユーザに不必要な情報（カバーが開いている旨）を通知せずに済ませることができ、煩わしさを防止することができる。例えば、ユーザが音楽再生機能を使用するために筐体を開いた場合に、その直後にイヤホンケーブルを接続するため、カバー（コネクタカバー）が開いていてもその旨を知る通知しないので、その不必要な情報を通知せずに済ませることができる。
【００５９】
また、実施形態によれば、ユーザに不必要な情報（カバーが開いている旨）を通知せずに済ませることができ、煩わしさを防止することができる。例えば、ユーザがテレビ放送出力機能を使用するために筐体をその機能にあったスタイル（ビュースタイル）にした場合に、その直後にイヤホンケーブルを接続するため、カバー（コネクタカバー）が開いていてもその旨を通知しないので、その不必要な情報を通知せずに済ませることができる。
【００６０】
また、実施形態によれば、カバーが開けられていても、その外部端子等が使用されている場合には、ユーザにその旨を通知せずに済ませることができる。例えば、コネクタカバーが開いていても外部機器が接続されている場合には、その旨を通知しないので、その不必要な情報を通知せずに済ませることができる。
【００６１】
また、実施形態によれば、端末装置の機能の動作状況に応じて、カバーの開閉を適切に報知することができる。
【００６２】
また、実施形態によれば、ユーザに不必要な情報（カバーが開いている旨）を通知せずに済ませることができ、煩わしさを防止することができる。例えば、音楽再生機能やテレビ放送出力機能を使用中に、イヤホンケーブルを接続するためにユーザがカバー（コネクタカバー）を開けた場合には、カバー（コネクタカバー）が開いていてもその旨を通知しないので、その不必要な情報を通知せずに済ませることができる。
【００６３】
また、実施形態によれば、ユーザに適切な状況（所定機能の動作が終了した場合）で必要な情報（カバーが開いている旨）を通知することができる。例えば、ユーザが音楽再生機能やテレビ放送出力機能の動作を終了させた場合に、カバー（コネクタカバー）が開いていれば、その旨を通知することができる。
【００６４】
また、実施形態によれば、ユーザに適切な状況（所定機能の動作が終了した場合）で必要な情報（カバーが開いている旨）を通知することができる。例えば、ユーザが音楽再生機能やテレビ放送出力機能の動作を終了させた場合に、所定時間経過してもカバー（コネクタカバー）が開いていれば、閉め忘れの可能性が高いので、その旨を通知することができる。
【００６５】
また、実施形態によれば、カバーが開けられていても、その外部端子等が使用されている場合には、ユーザにその旨を通知せずに済ませることができる。例えば、コネクタカバーが開いていても外部機器が接続されている場合には、その旨を通知しないので、その不必要な情報を通知せずに済ませることができる。
【００６６】
なお、上述した実施形態においては、カバーとして、コネクタカバーのみについて説明したが、これに限らず、電池パックを装着する部分を覆うカバー（電池パックと一体化しているカバーもあるし、電池パックから独立しているカバーもある）、外部記憶媒体を挿着する部分を覆うカバー、カメラのレンズを保護したり撮影していないことを周囲に示したりするためにレンズを覆うカバーでもよい。さらには、アンテナを収納している状態で、そのアンテナの先端がカバーとなっているようなカバーなど、任意のカバーでよい。
【００６７】
また、コネクタカバーの開閉検出は、ケーブルが接続されているか否かで、コネクタカバーの開閉を検出するようにしてもよい。すなわち、ケーブルが接続されていれば、コネクタカバーが開いていると推定検出するようにしてもよい。
【００６８】
また、端末装置１のスタイルは、これらに限らない。筐体構造に応じたスタイルでよい。また、コネクタは、イヤフォン、充電ケーブル、通信ケーブル用のコネクタに限らず、任意のコネクタでよい。また、表示は、メッセージではなく、アイコンなどのマークで表示してもよい。マークで表示する場合には、コネクタカバーが開いている状態／閉じている状態において、常時表示することが可能である。
【００６９】
以下、本発明の特徴を付記する。
上記の実施形態の一部又は全部は、以下の付記のようにも記載されうるが、以下には限られない。
（付記１）
図２は、付記１の構成図である。この図に示すように、付記１記載の発明は、
外部への露出を避けるため構成部を覆う蓋部を備える端末装置１であって、
前記蓋部の開閉を検出する開閉検出手段１０−７と、
前記端末装置１に搭載されている所定機能の動作状況を検出する動作状況検出手段１０−１２と、
前記動作状況検出手段１０−１２によって検出された所定機能の動作状況と、前記開閉検出手段１０−７による蓋部開閉の検出結果とに基づいて、前記開閉検出手段１０−７による蓋部開閉の検出結果を報知するか否かを判別する報知判別手段１０−１２と、
前記報知判別手段１０−１２による判別結果に基づいて、前記開閉検出手段１０−７による蓋部開閉の検出結果の報知を制御する報知制御手段１０−１２と、
を備えることを特徴とする端末装置である。
【００７０】
（付記２）
付記２記載の発明は、前記報知判別手段は、前記動作状況検出手段によって所定機能が動作中であることが検出された場合に、前記開閉検出手段による蓋部開閉の検出結果の報知を抑制すると判別することを特徴とする付記１記載の端末装置である。
【００７１】
（付記３）
付記３記載の発明は、前記報知判別手段は、前記動作状況検出手段によって所定機能の動作が終了したことが検出された場合に、前記開閉検出手段によって蓋部が開いていることが検出されていれば、その旨を報知すると判別することを特徴とする付記１記載の端末装置である。
【００７２】
（付記４）
付記４記載の発明は、前記報知判別手段は、前記動作状況検出手段によって所定機能の動作が終了したことが検出されてから所定時間経過後に、前記開閉検出手段によって蓋部が開いていることが検出されていれば、その旨を報知すると判別することを特徴とする付記３記載の端末装置である。
【００７３】
（付記５）
付記５記載の発明は、前記構成部が使用されているか否かを検出する使用検出手段を更に具備し、前記報知判別手段は、前記開閉検出手段によって蓋部が開いていることが検出された場合であっても、前記使用検出手段によって構成部が使用されていると検出された場合には、前記開閉検出手段による蓋部開閉の検出結果の報知を抑制することを特徴とする付記１記載の端末装置である。
【００７４】
（付記６）
付記６記載の発明は、外部への露出を避けるため構成部を覆う蓋部を備える端末装置の動作を制御するプログラムであって、コンピュータに、前記蓋部の開閉を検出する開閉検出機能、前記端末装置に搭載されている所定機能の動作状況を検出する動作状況検出機能、前記動作状況検出機能によって検出された所定機能の動作状況と、前記開閉検出機能による蓋部開閉の検出結果とに基づいて、前記開閉検出機能による蓋部開閉の検出結果を報知するか否かを判別する報知判別機能、前記報知判別機能による判別結果に基づいて、前記開閉検出機能による蓋部開閉の検出結果の報知を制御する報知制御機能、を実現させることを特徴とするプログラムである。
【符号の説明】
【００７５】
１  端末装置
２−１、２−２  基地局
３  交換機
４  移動体通信網
５  インターネット
６  充電装置
７  イヤフォン
８  ＰＣ
１０−１  無線通信部
１０−２  音声信号処理部
１０−３  表示部
１０−３−１  メイン表示部
１０−３−２  サブ表示部
１０−４  操作部
１０−５  ＲＴＣ
１０−６  振動発生部
１０−７  カバー開閉検出部
１０−８  外部機器接続部（コネクタ）
１０−８−１  カバー付き充電端子兼外部端子
１０−８−２  カバー付き音声出力端子
１０−９  ＲＯＭ
１０−１０  ＲＡＭ
１０−１１  スタイル検出部
１０−１２  中央制御部
【図１】
0005516902.tif 000002
【図２】
0005516902.tif 000003
【図３】
0005516902.tif 000004
【図４】
0005516902.tif 000005
【図５】
0005516902.tif 000006
【図６】
0005516902.tif 000007
【図７】
0005516902.tif 000008
【図８】
0005516902.tif 000009
【図９】
0005516902.tif 000010
【図１０】
0005516902.tif 000011
【図１１】
0005516902.tif 000012
【図１２】
0005516902.tif 000013
【図１３】
0005516902.tif 000014